(57)【特許請求の範囲】
【請求項１】
紙幣が投入される投入口が設けられた接客部と、
表示画面を有する表示部と、
紙幣の表裏を鑑別する鑑別部と、
前記鑑別部による表裏の鑑別が、設定された正面とは逆の逆面の場合に、当該紙幣を集積する集積部と、を備え、
前記鑑別部により前記逆面と鑑別された紙幣が所定条件となったときは、前記投入口からの紙幣の搬送を停止し、前記投入口に残留する紙幣の表裏を確認して確認後の紙幣の再投入を促す画面を前記表示部の表示画面に表示することを特徴とする現金処理装置。
【請求項２】
請求項１に記載の現金処理装置において、
前記鑑別部により前記逆面と鑑別された紙幣が所定条件となったときは、前記投入口からの紙幣の搬送を停止するための搬送停止ボタンを前記表示部の表示画面に表示し、前記搬送停止ボタンが押下されたときに、前記投入口からの紙幣の搬送を停止することを特徴とする現金処理装置。
【請求項３】
請求項１または請求項２に記載の現金処理装置において、
前記所定条件を、前記鑑別部により前記逆面と鑑別された紙幣が所定枚数連続して前記集積部に集積されたこと、としたことを特徴とする現金処理装置。
【請求項４】
請求項１または請求項２に記載の現金処理装置において、
前記所定条件を、前記鑑別部により前記逆面と鑑別された紙幣が所定枚数、前記集積部に集積されたこと、としたことを特徴とする現金処理装置。
【請求項５】
請求項１ないし請求項４のいずれか一項に記載の現金処理装置において、
前記集積部を、前記接客部に設けたことを特徴とする現金処理装置。
【請求項６】
請求項４に記載の現金処理装置において、
規定枚数の紙幣を結束して紙幣束を形成する施封部を設け、
前記設定された正面の紙幣を、前記鑑別部から前記施封部へ搬送して紙幣束を形成することを特徴とする現金処理装置。
【発明の詳細な説明】
【技術分野】
【０００１】
本発明は、郵便局等の金融機関に設置され、現金の入出金や紙幣の施封等を行う簡易出納機等の現金処理装置に関する。
【背景技術】
【０００２】
従来の、規定枚数である１００枚の紙幣を施封する施封部を有する紙幣処理装置は、金種別収納庫に収納された施封対象の金種の紙幣を繰出して鑑別部へ搬送し、鑑別部で表裏を鑑別した後に施封部へ搬送して集積し、集積枚数が９９枚になったときに、最初に搬送した紙幣が裏向きであれば、１００枚目の紙幣をそのまま施封部へ搬送して結束し、最初の紙幣がおもて向きの場合は、鑑別部で裏向きと鑑別された１００枚目の紙幣は一時保留部へ搬送して収容し、その後は、搬送された紙幣が鑑別部でおもて向きと鑑別されるまで一時保留部へ収容する処理を続け、搬送された紙幣がおもて向きと鑑別されたときに、その紙幣を１００枚目の紙幣として施封部へ搬送し結束して、紙幣束の少なくとも一方が紙幣のおもて面となることを要する中国紙幣の紙幣束を形成している。
また、施封部への搬送路に表裏反転機構をバイパス的に設け、必要に応じて１００枚目の紙幣の表裏を反転させて、前記の紙幣束の形成を素早く行うようにしている（例えば、特許文献１参照。）。
【先行技術文献】
【特許文献】
【０００３】
【特許文献１】国際公開ＷＯ２００９／１１８８３９号（段落００２６、００３８−００４１、００４５−００４７、第１図、第４図、第５図）
【発明の概要】
【発明が解決しようとする課題】
【０００４】
しかしながら、上述した従来の技術は、施封対象の紙幣が中国紙幣の場合は有効であるが、施封対象の紙幣が日本国紙幣の場合は、紙幣束の全ての紙幣を、例えば、おもて面に揃えて結束することが要求されるため、引用文献１の技術を用いた場合は、金種別収納庫からおもて面と鑑別される紙幣が１００枚繰出されるまで処理を継続することが必要になり、紙幣束の形成に時間を要するという問題がある。
このため、施封部への搬送路に表裏反転機構をバイパス的に設けると、装置が大型化してしまうという問題がある。
【０００５】
また、紙幣の投入口から投入された紙幣を施封部で結束する場合は、誤って、全ての紙幣を、例えば、裏面に揃えてを投入すると、投入口の紙幣がなくなるまで搬送動作を停止できないと問題がある。
また、表裏反転機構をバイパス的に設けた場合であっても、投入された全ての紙幣に対して表裏反転機構による反転動作を行うことが必要になり、紙幣の施封に時間を要するという問題がある。
本発明は、上記の問題点を解決するためになされたもので、投入口から投入された紙幣を施封する場合の処理時間を短縮する手段を提供することを目的とする。
【課題を解決するための手段】
【０００６】
本発明は、上記課題を解決するために、現金処理装置が、紙幣が投入される投入口が設けられた接客部と、表示画面を有する表示部と、紙幣の表裏を鑑別する鑑別部と、前記鑑別部による表裏の鑑別が、設定された正面とは逆の逆面の場合に、当該紙幣を集積する集積部と、を備え、前記鑑別部により前記逆面と鑑別された紙幣が所定条件となったときは、前記投入口からの紙幣の搬送を停止し、前記投入口に残留する紙幣の表裏を確認して確認後の紙幣の再投入を促す画面を前記表示部の表示画面に表示することを特徴とする。
【発明の効果】
【０００７】
これにより、本発明は、全ての投入紙幣の繰出前に、紙幣の投入口に残留する投入紙幣の表裏を確認させることができ、全ての投入紙幣が逆面紙幣であった場合と比べて、投入紙幣の施封処理における処理時間を短縮することができるという効果が得られる。
【図面の簡単な説明】
【０００８】
【図１】実施例１の現金入出金装置を示す説明図
【図２】実施例１の現金入出金装置を示すブロック図
【発明を実施するための形態】
【０００９】
以下に、図面を参照して本発明による現金処理装置の実施例について説明する。
【実施例１】
【００１０】
以下に、図１および図２を用いて本実施例の現金入出金装置について説明する。
本実施例の現金処理装置としての現金入出金装置は、郵便局等の金融機関に設置され、郵便局員等の係員が、顧客から受取った現金（紙幣および硬貨）の入金や、顧客に対する現金の出金、顧客の要望に応じた出金紙幣や両替紙幣の施封等を行う簡易出納機であって、図１、図２に示すように、紙幣処理部１、硬貨処理部２、主制御部３、記憶部４、操作表示部６、カードリーダ７、印刷部８等を備えている。
【００１１】
主制御部３は、現金入出金装置の紙幣処理部１や硬貨処理部２等の各部を制御して出金処理や入金処理、施封処理等を実行する。
記憶部４は、主制御部３が実行するプログラムや主制御部３による処理結果等が格納される。
操作表示部６は、ＬＣＤ等の表示画面と、表示画面に設けたタッチパネル等の入力手段とを備えており、表示画面に、係員が入金処理や出金処理、施封処理等を行うことを指示するための指示ボタン等を表示して係員からの入力を受付ける機能や、装置の状態等を表示する機能等を有している。
【００１２】
カードリーダ７は、係員が携帯する係員カードをパスさせたときに、そのＩＣチップや磁気ストライプに記録されている係員ＩＤ等のカード情報を読取る機能を有している。
印刷部８は、プリンタ等を備えており、現金入出金装置による入金処理や出金処理の金額等の取引結果をレシートに印刷して排出する機能を有している。
紙幣処理部１は、図１、図２に示すように、制御部１１、紙幣入出金部１２、紙幣鑑別部１３、紙幣一時保留部１４、紙幣収納部１５、退避庫１６、紙幣リジェクト庫１７、施封部１８、紙幣搬送路１９等で構成される。
【００１３】
制御部１１は、記憶エリア１１ａを有しており、主制御部３からの指令により、紙幣処理部１内の各部を制御して紙幣の搬送や収納、施封等の各種の処理動作を制御する。
制御部１１の記憶エリア１１ａには、紙幣束の形成時に揃える側の面（例えば、おもて面）として予め設定された面（正面（せいめん）という。）が施封面情報として格納される他、施封処理のときに、係員が選択入力した、施封対象の紙幣の金種、正券（正常な紙幣）または損券（汚れや破れ等が存在する紙幣）または正損混合からなる施封種別、および施封対象となる紙幣の汚損レベルである流通度汚損レベル等の施封紙幣情報を格納する施封情報格納エリアが予め確保されている。
【００１４】
また、記憶エリア１１ａには、施封部１８の施封紙幣集積部１８ａに集積した施封紙幣の集積枚数をカウントするための施封紙幣集積枚数カウントエリア等が予め確保されている。
紙幣入出金部１２は、紙幣処理部１の前面側（図１において右側）に設けられた収容枚数が１００枚以上の紙幣投入口１２ａと収容枚数が２０〜３０枚程度の紙幣リジェクト部１２ｂとを備えており、紙幣投入口１２ａには、係員が投入した投入紙幣を１枚毎に繰出す繰出機構および、入金処理における入金取消時の返却紙幣、出金処理時に係員へ引渡す出金紙幣を集積する集積機構が設けられている。
【００１５】
集積部としての紙幣リジェクト部１２ｂは、紙幣投入口１２ａに隣接して設けられており、入金処理時の入金リジェクト紙幣、施封処理時に紙幣鑑別部１３で施封面情報として設定された正面とは逆の面（逆面という。）と鑑別された紙幣を搬送する搬送先であって、搬送された紙幣を厚さ方向に積層して集積する集積機構が設けられている。
また、紙幣リジェクト部１２ｂには、集積された紙幣を紙幣投入口１２ａ内に積層された状態のまま搬送する、ローラ対またはベルト対もしくはローラとベルトの組合せで構成された搬送機構が設けられている。
【００１６】
なお、前記搬送機構は、積層された紙幣を１枚毎に繰出して搬送する搬送機構であってもよい。
紙幣鑑別部１３は、搬送された紙幣の真偽、正損、金種、表裏等を鑑別して金種別に計数する機能等を有している。
紙幣一時保留部１４は、紙幣投入口１２ａに投入され、紙幣鑑別部１３で鑑別、計数された紙幣を集積して一時保留するための集積機構、一時保留した紙幣を１枚毎に繰出す繰出機構が設けられており、施封処理時に紙幣鑑別部１３で、係員が選択入力した施封紙幣情報に反する紙幣の一時保留先として機能する。
【００１７】
紙幣収納庫１５は、現金入出金装置に着脱可能に装着された金庫であって、出金に用いる金種の紙幣（本実施例では千券、５千券、万券）を金種別に収納する金種別収納庫、つまり、千円紙幣を収納する千券収納庫１５ａ、５千円紙幣を収納する５千券収納庫１５ｂ、１万円紙幣を収納する万券収納庫１５ｃを備えており、各金種別収納庫１５ａ〜１５ｃは、それぞれ、入金処理時に紙幣鑑別部１３で正券と鑑別され搬送された紙幣を内部に集積する集積機構、出金処理時や施封処理時に収納された紙幣を１枚毎に繰出す繰出機構が設けられている。
【００１８】
退避庫１６は、現金入出金装置に着脱可能に装着された金庫であって、千券収納庫１５ａ、５千券収納庫１５ｂ、万券収納庫１５ｃに収納された紙幣の枚数を金種別に計数する自動計数処理時に、計数する金種を収納した金種別収納庫１５ａ、１５ｂまたは１５ｃから繰出され、紙幣鑑別部１３で鑑別、計数された紙幣を搬送して一時退避させる金庫であって、搬送された紙幣を内部に集積する集積機構、自動計数処理時に一時退避させた紙幣を元の金種別収納庫１５ａ、１５ｂまたは１５ｃに戻すときに紙幣を１枚毎に繰出す繰出機構が設けられている。
【００１９】
紙幣リジェクト庫１７は、入金処理時に紙幣一時保留部１４から紙幣鑑別部１３へ搬送され、または、出金処理時に紙幣収納庫１５から紙幣鑑別部１３へ搬送され、または、自動計数処理時に紙幣収納庫１５から紙幣鑑別部１３へ搬送され、紙幣鑑別部１３で重送等と鑑別されたリジェクト紙幣の集積先であって、係員によるアクセスが可能なように構成されており、搬送された紙幣を内部に集積する集積機構が設けられている。
【００２０】
施封部１８は、搬送された施封対象の紙幣を規定枚数（本実施例では、１００枚）厚さ方向に積層して集積する集積機構を有する施封紙幣集積部１８ａ、施封紙幣集積部１８ａから積層状態のまま搬送された紙幣を結束帯で結束する紙幣結束部１８ｂ、結束帯で結束された紙幣束を排出する紙幣束出金口１８ｃ等で構成されている。
また、施封紙幣集積部１８ａは、係員によるアクセスが可能なように構成されている。
【００２１】
紙幣搬送路１９は、図１に破線で示す搬送経路によって、紙幣処理部１内の各部の間を接続する搬送路であって、紙幣搬送路１９の各分岐部には紙幣の搬送方向を切替える図示しない切替機構が設けられ、紙幣搬送路１９の適切な部位には紙幣の通過を検知する図示しない紙幣検知センサ等が設けられている。
硬貨処理部２は、図１、図２に示すように、制御部２１、硬貨入出金部２２、硬貨鑑別部２３、硬貨選別部２３ａ、硬貨一時保留部２４、硬貨収納庫２５、硬貨リジェクト口２６、硬貨出金箱２７、硬貨返却箱２８等で構成される。
【００２２】
制御部２１は、記憶エリア２１ａを有しており、主制御部３からの指令により、硬貨処理部２の各部を制御して硬貨の搬送や収納等の各種の処理動作を制御する。
硬貨入金部２２は、係員が硬貨を一括投入する硬貨投入口２２ａと、硬貨投入口２２ａから投入された硬貨を１枚毎に繰出す繰出口が設けられた硬貨繰出部２２ｂとで構成される。
硬貨鑑別部２３は、硬貨繰出部２２ｂから繰出された硬貨の真偽、正損、金種等を鑑別して金種別に計数する機能等を有している。
【００２３】
硬貨選別部２３ａは、硬貨鑑別部２３での鑑別結果に基づいて硬貨を搬送しながら選別する搬送路であって、硬貨搬送方向の上流側から図示しないリジェクト口、金種別の選別口が順に配置されており、リジェクト口および各選別口には、それぞれの開口を開閉する選別ゲートが設けられている。
硬貨一時保留部２４は、硬貨鑑別部２３での鑑別結果に応じて、硬貨選別部２３ａの該当する選別口の選別ゲートを開作動させて、図示しない金種別の搬送シュートを介して落下させた硬貨を金種別に集積して一時保留すると共に、一時保留した硬貨を硬貨返却箱２８や硬貨収納庫２５に落下させる構成を有している。
【００２４】
硬貨収納庫２５は、現金入出金装置に着脱可能に装着された金庫であって、入金処理時に硬貨鑑別部２３で正常貨と鑑別され、硬貨選別部２３ａを経由して硬貨一時保留部２４に一時保留した硬貨で、出金に用いる金種（本実施例では５００円、１００円、５０円、１０円、５円、１円）の硬貨を金種別に収納する金種別収納部を備えており、各金種別収納部には、出金処理時に収納している硬貨を１枚毎に繰出す繰出機構が設けられている。
【００２５】
硬貨リジェクト口２６は、硬貨鑑別部２３で偽硬貨や外国硬貨等と鑑別され、硬貨選別部２３ａのリジェクト口から図示しない搬送シュートを介して落下させたリジェクト硬貨の集積先であって、集積されたリジェクト硬貨は係員に返却される。
硬貨出金箱２７は、現金入出金装置に着脱可能に装着された収納箱であって、出金処理時に、硬貨収納庫２５の各収納部から繰出された出金硬貨が集積される。
硬貨返却箱２８は、現金入出金装置に着脱可能に装着された収納箱であって、計数処理時の計数済硬貨、入金処理における入金取消時の返却硬貨を、硬貨一時保留部２４から図示しない搬送シュートを介して落下させて集積する。
【００２６】
以下に、本実施例の現金入出金装置の紙幣処理部１を用いた紙幣の施封処理について、紙幣投入口１２ａに投入した投入紙幣を施封部１８で施封する場合を例に説明する。
紙幣の施封を行う係員が、携帯している係員カードをカードリーダ７にパスさせると、主制御部３は、カードリーダ７によって係員カードに記録されている係員ＩＤ等のカード情報を読取る。
【００２７】
カード情報を読取った主制御部３は、カード情報の係員ＩＤを基に、記憶部４の係員登録情報から該当する係員ＩＤ等を抽出し、抽出した係員登録情報の係員ＩＤとカード情報の係員ＩＤとの一致により係員の正当性を判定し、操作表示部６の表示画面に当該係員が操作を許可されている業務の内容を表示したメニュー画面を表示し、係員は、表示されたメニュー画面から「投入紙幣施封」の選択ボタンを押下する。
このように、本実施例の現金入出金装置では、係員の正当性の判定をパスワード等の入力を必要としない運用としている。
【００２８】
選択ボタンの押下により投入紙幣の施封処理の実行を認識した主制御部３は、操作表示部６の表示画面に施封紙幣情報の選択画面を表示し、係員は、操作表示部６によって施封対象の紙幣の金種、施封種別および流通度汚損レベルを選択により入力する。
この選択入力を受付けた主制御部３は、入力された施封紙幣情報を記憶部４に一時保存し、操作表示部６の表示画面に、投入紙幣の施封処理の処理中である旨の文言等を表示した投入紙幣施封処理中画面を表示すると共に、紙幣処理部１の制御部１１へ、一時保存した施封紙幣情報を付した投入紙幣の施封処理の実行指令を送信する。
【００２９】
投入紙幣の施封処理の実行指令を受信した制御部１１は、実行指令の施封紙幣情報を記憶エリア１１ａの施封情報格納エリアに格納して紙幣入出金部１２の紙幣投入口１２ａへの紙幣の投入を待って待機し、係員が、施封すべき複数の紙幣を紙幣投入口１２ａに投入すると、これを認識した制御部１１は、紙幣投入口１２ａの繰出機構により、投入紙幣を１枚ずつ紙幣搬送路１９へ繰出して紙幣鑑別部１３の搬入端（図１において紙幣鑑別部１３の右側の端部）へ搬送し、紙幣鑑別部１３によって紙幣の真偽、正損、金種、表裏等を鑑別する。
【００３０】
紙幣鑑別部１３による鑑別結果が、偽紙幣や外国紙幣等の偽券の場合、制御部１１は当該入金リジェクト紙幣を紙幣搬送路１９によって紙幣一時保留部１４へ搬送して一時保留する。
鑑別結果が、記憶エリア１１ａの施封情報格納エリアに格納した施封紙幣情報に反する紙幣の場合、つまり、施封紙幣情報の金種、施封種別および流通度汚損レベルの内のいずれか一つが異なるか、または入力されたレベルを超えている施封対象外の紙幣の場合、制御部１１は当該施封対象外紙幣を紙幣一時保留部１４へ搬送して一時保留する。
【００３１】
鑑別結果が、施封紙幣の場合、つまり、施封紙幣情報に適合した紙幣であって、記憶エリア１１ａに格納した施封面情報として設定された正面の紙幣の場合、制御部１１は当該施封紙幣を、紙幣鑑別部１３の搬出端から紙幣搬送路１９によって施封部１８の施封紙幣集積部１８ａへ搬送して集積し、記憶エリア１１ａの施封紙幣集積枚数カウントエリアによって、施封紙幣集積部１８ａへ集積した施封紙幣の集積枚数をカウントする。
紙幣の表裏の鑑別結果が、記憶エリア１１ａに格納した施封面情報として設定された正面とは逆の逆面の場合、制御部１１は当該逆面紙幣を、紙幣鑑別部１３の搬出端から紙幣搬送路１９によって紙幣リジェクト部１２ｂへ搬送して集積する。
【００３２】
そして、紙幣リジェクト部１２ｂに集積された紙幣が、紙幣リジェクト部１２ｂの容量に達した場合は、紙幣投入口１２ａからの投入紙幣の搬送を一時停止し、紙幣リジェクト部１２ｂに集積した紙幣を積層状態のまま搬送機構によって紙幣投入口１２ａへ搬送し、紙幣投入口１２ａに残留している投入紙幣の上方に積層状態のまま集積した後に、紙幣投入口１２ａからの紙幣の繰出しを再開する。
【００３３】
紙幣リジェクト部１２ｂに集積された紙幣が、紙幣リジェクト部１２ｂの容量に達しない場合に、紙幣投入口１２ａからの紙幣の繰出しが終了して紙幣の搬送を停止したときは、紙幣リジェクト部１２ｂに集積した紙幣を積層状態のまま搬送機構によって紙幣投入口１２ａへ搬送し、紙幣投入口１２ａに積層状態のまま集積した後に、紙幣投入口１２ａからの紙幣の繰出しを再開する。
【００３４】
この場合の、紙幣リジェクト部１２ｂに集積された紙幣を積層状態のまま紙幣投入口１２ａへ搬送し、紙幣投入口１２ａから繰出すことによって、紙幣鑑別部１３で逆面紙幣と鑑別された紙幣は表裏が反転された状態、つまり正面の状態で紙幣鑑別部１３へ搬送されるため、紙幣鑑別部１３では施封紙幣と鑑別され、その施封紙幣は、前記と同様にして、施封部１８の施封紙幣集積部１８ａへ搬送して集積され、集積枚数がカウントされる。
【００３５】
そして、制御部１１は、記憶エリア１１ａの施封紙幣集積枚数カウントエリアのカウント数が規定枚数（本実施例では１００枚）に達したとき、つまり施封部１８の施封紙幣集積部１８ａへの集積枚数が規定枚数に達したときに、紙幣投入口１２ａからの紙幣の繰出を停止し、施封紙幣集積部１８ａに集積された施封紙幣を積層状態のまま紙幣結束部１８ｂへ搬送して紙幣束を形成し、その紙幣束を紙幣束出金口１８ｃから排出して係員に引渡す。
【００３６】
紙幣束の引渡し後に、施封処理を継続する必要がない場合、つまり係員が操作表示部６によって処理の終了操作を行った場合、制御部１１は、紙幣投入口１２ａ内に残留する紙幣の存否、および紙幣一時保留部１４に一時保留した入金リジェクト紙幣や施封対象外紙幣の存否を確認し、紙幣一時保留部１４に紙幣が存在しない場合であって、紙幣投入口１２ａ内に残留紙幣が存在しない場合は、今回の投入紙幣の施封処理を終了させる。
【００３７】
紙幣一時保留部１４に紙幣が存在しない場合であって、紙幣投入口１２ａ内に残留紙幣が存在する場合は、主制御部３へ、紙幣投入口１２ａの残留紙幣の存在を通知し、この通知を受けた主制御部３は、操作表示部６の表示画面に、紙幣投入口１２ａの紙幣の取出しを促す旨の文言を表示した残留紙幣取出依頼画面を表示し、係員による受取りを確認して、今回の投入紙幣の施封処理を終了させる。
【００３８】
紙幣一時保留部１４に紙幣が存在する場合は、紙幣一時保留部１４に存在する紙幣を繰出機構により紙幣搬送路１９へ繰出し、紙幣投入口１２ａへ搬送して紙幣投入口１２ａ内に残留紙幣が存在する場合は、その残留紙幣上に集積し、紙幣投入口１２ａ内に残留紙幣が存在しない場合は、紙幣投入口１２ａ内に直接集積し、紙幣一時保留部１４内の全ての紙幣の集積後に、主制御部３へ、紙幣投入口１２ａへの施封対象外紙幣等の集積を通知し、この通知を受けた主制御部３は、操作表示部６の表示画面に、紙幣投入口１２ａの施封対象外紙幣等の取出しを促す旨の文言を表示した施封対象外紙幣等取出依頼画面を表示し、係員による受取りを確認して、今回の投入紙幣の施封処理を終了させる。
【００３９】
なお、係員が、操作表示部６によって処理の継続操作を行った場合、制御部１１は、上記と同様にして、投入紙幣の施封処理を継続する。
また、制御部１１は、記憶エリア１１ａの施封紙幣集積枚数カウントエリアのカウント数が規定枚数に達していない場合に、紙幣投入口１２ａの投入紙幣がなくなったときは、主制御部３へ、紙幣投入口１２ａへの紙幣の追加投入を要する旨を通知し、この通知を受けた主制御部３は、操作表示部６の表示画面に、紙幣投入口１２ａへの紙幣の追加投入を促す旨の文言を表示した紙幣追加投入依頼画面を表示し、係員が追加投入する紙幣を紙幣投入口１２ａに投入すると、これを認識した制御部１１は、上記と同様にして、投入紙幣の施封処理を継続する。
【００４０】
この場合に、制御部１１が主制御部３への通知後に、所定の時間（本実施例では、３０秒）経過しても紙幣の追加投入を認識できなかったとき、または係員が操作表示部６によって処理の取消操作を行ったときは、施封部１８の施封紙幣集積部１８ａに集積されている施封紙幣を積層状態のままとし、紙幣一時保留部１４に紙幣が存在する場合は、その紙幣を、上記と同様にして、紙幣投入口１２ａから係員に引渡し、係員による受取りを確認して、今回の投入紙幣の施封処理を終了させる。
【００４１】
この場合に表示される施封対象外紙幣等取出依頼画面には、施封紙幣集積部１８ａの施封対象紙幣の取出しを促す旨の文言が追加して表示され、係員は施封紙幣集積部１８ａから積層状態の施封紙幣を手で抜取って受取る。
このような、投入紙幣の施封処理の処理動作中に、制御部１１が、紙幣鑑別部１３によって、本実施例の所定の条件である、逆面紙幣が所定枚数連続（本実施例では１０枚連続）して紙幣リジェクト部１２ｂに搬送されたことを認識したときは、紙幣投入口１２ａからまだ繰出されていない投入紙幣も逆面紙幣である可能性が高いとして、紙幣投入口１２ａからの紙幣の搬送を停止し、主制御部３へ、紙幣投入口１２ａからの紙幣の搬送を停止した旨を通知する。
【００４２】
この通知を受けた主制御部３は、操作表示部６の表示画面に、紙幣投入口１２ａからの紙幣の搬送を停止した旨と、搬送停止中に紙幣投入口１２ａの投入紙幣の表裏を確認して確認後の紙幣の再投入を促す旨の文言を表示した紙幣再投入依頼画面を表示し、紙幣再投入依頼画面を視認した係員は、紙幣投入口１２ａに残留する紙幣の表裏を確認し、紙幣を設定された正面に揃えて紙幣投入口１２ａに再投入し、これを認識した制御部１１は、再投入された紙幣の紙幣投入口１２ａからの搬送を再開させる。
このようにして、本実施例の投入紙幣の施封処理が実行される。
【００４３】
なお、出金紙幣の施封処理の場合は、係員がメニュー画面から「出金紙幣施封」の選択ボタンを押下すると、現金処理装置の主制御部３は、操作表示部６によって出金金額の入力を受付け、出金紙幣の施封処理の処理中である旨の文言等を表示した出金紙幣施封処理中画面を表示して、受付けた出金金額を付した出金紙幣の施封処理の実行指令を送信し、これを受信した制御部１１は、実行指令の出金金額を記憶エリア１１ａに、施封紙幣情報を施封情報格納エリアに格納し、施封紙幣情報の金種を基に紙幣収納庫１５の金種別収納庫を特定してその繰出枚数を算出し、当該金種別収納庫の繰出機構により、出金紙幣を１枚ずつ紙幣搬送路１９へ繰出して紙幣鑑別部１３の搬入端へ搬送し、紙幣鑑別部１３によって紙幣の正損、金種、表裏等を鑑別する。
【００４４】
その後の処理動作は、上記投入紙幣の場合と同様であるので、その説明を省略する。
なお、出金紙幣の施封処理においては、上記した逆面紙幣が所定枚数連続して紙幣リジェクト部１２ｂに搬送されたときの処理動作は実行されない。
このようにして、本実施例の出金紙幣の施封処理が実行される。両替紙幣の出金処理時に施封が必要になった場合も同様である。
【００４５】
以上説明したように、本実施例では、投入紙幣の施封処理において、連続して所定枚数の紙幣の紙幣投入口１２ａへの搬送が発生した場合に、自動で紙幣投入口１２ａからの投入紙幣の搬送を一旦停止して、操作表示部６の表示画面に紙幣投入口１２ａに残留する紙幣の確認後の再投入を促す画面を表示するので、全ての投入紙幣の紙幣投入口１２ａからの繰出前に、紙幣投入口１２ａに残留する投入紙幣の表裏を確認させることができ、全ての投入紙幣が逆面紙幣であった場合と比べて、投入紙幣の施封処理における処理時間を短縮することができる。
【実施例２】
【００４６】
以下に、本実施例の現金入出金装置の紙幣処理部１における投入紙幣の施封処理について説明する。
なお、上記実施例１と同様の部分は、同一の符号を付してその説明を省略する。また、本実施例の出金紙幣の施封処理の処理動作は、上記実施例１の場合と同様であるので、その説明を省略する。
本実施例の制御部１１の記憶エリア１１ａには、上記実施例１と同様の施封面情報が格納されると共に、上記実施例１と同様の施封情報格納エリアおよび施封紙幣集積枚数カウントエリア等が予め確保されている。
【００４７】
本実施例の現金入出金装置の主制御部３、および紙幣処理部１の制御部１１による投入紙幣の施封処理における処理動作は、上記実施例１で説明した逆面紙幣が所定枚数連続して紙幣リジェクト部１２ｂに搬送されたときの処理動作を除いて、上記実施例１の場合と同様であるので、その説明を省略する。
投入紙幣の施封処理の処理動作中に、制御部１１が、紙幣鑑別部１３によって逆面紙幣が所定枚数（本実施例では１０枚）連続して紙幣リジェクト部１２ｂに搬送されたことを認識したときは、紙幣投入口１２ａからまだ繰出されていない投入紙幣も逆面紙幣である可能性が高いとして、主制御部３へ、紙幣投入口１２ａからの紙幣の搬送を停止するための搬送停止ボタンの表示要求を送信する。
【００４８】
この表示要求を受信した主制御部３は、操作表示部６の表示画面に表示されている投入紙幣施封処理中画面に、前記搬送停止ボタンを追加表示すると共に、紙幣投入口１２ａからの紙幣の搬送を搬送停止ボタンにより停止して投入紙幣の表裏を確認し、確認後の紙幣の再投入を促す旨の文言を追加表示し、追加表示された文言および搬送停止ボタンを視認した係員が、搬送停止ボタンを押下すると、制御部１１は、紙幣投入口１２ａからの紙幣の搬送を停止し、係員が、紙幣投入口１２ａに残留する紙幣の表裏を確認し、紙幣を設定された正面に揃えて紙幣投入口１２ａに再投入すると、これを認識した制御部１１は、再投入された紙幣の紙幣投入口１２ａからの搬送を再開させる。
【００４９】
なお、操作表示部６の表示画面に停止ボタンを表示した場合に、制御部１１が主制御部３への表示要求の送信後に、所定の時間（本実施例では、３０秒）経過しても係員による搬送停止ボタンの押下を認識できなかったときは、上記実施例１で説明した、紙幣追加投入依頼画面を表示した場合における紙幣の追加投入を認識できなかったときと同様にして、施封紙幣集積部１８ａに集積されている施封紙幣や、紙幣一時保留部１４に存在する紙幣を係員に引渡し、係員による受取りを確認して今回の投入紙幣の施封処理を終了させる。
このようにして、本実施例による投入紙幣の施封処理が実行される。
【００５０】
以上説明したように、本実施例では、上記実施例１と同様の効果に加えて、係員が紙幣投入口１２ａからの投入紙幣の搬送停止を認識したうえで、投入紙幣の搬送を一旦停止させることができ、紙幣処理部１の突然の停止による混乱を未然に防止することができる。
なお、上記各実施例では、所定の条件は、紙幣鑑別部１３で逆面紙幣と鑑別された紙幣が所定枚数連続して紙幣リジェクト部１２ｂに搬送され集積されたことであるとして説明したが、所定の条件を、紙幣鑑別部１３で逆面紙幣と鑑別された紙幣が所定枚数（例えば、１０枚）紙幣リジェクト部１２ｂに搬送され集積されたこととしてもよい。
【００５１】
この場合は、上記実施例１で説明した、紙幣リジェクト部１２ｂに集積された紙幣が、紙幣リジェクト部１２ｂの容量に達した場合と同様にして、紙幣投入口１２ａに残留している投入紙幣の上方に、紙幣リジェクト部１２ｂから積層状態のまま搬送した所定枚数の紙幣を集積した後に、紙幣投入口１２ａからの紙幣の繰出しを再開するようにする。
【００５２】
また、上記各実施例においては、入力手段は、操作表示部６の表示画面に設けたタッチパネルであるとして説明したが、係員が入金処理や出金処理、施封処理等を行うことを指示するための操作キーや、出金金額等を入力するためのテンキー等により構成される入力部を設けるようにしてもよく、入力部とタッチパネルを併用するようにしてもよい。
更に、上記各実施例においては、現金取扱装置は簡易出納機であるとして説明したが、郵便局等に設置される紙幣入金整理装置等に適用することも可能である。
【符号の説明】
【００５３】
１    紙幣処理部
２    硬貨処理部
３    主制御部
４    記憶部
６    操作表示部
７    カードリーダ
８    印刷部
１１、２１  制御部
１１ａ、２１ａ  記憶エリア
１２  紙幣入出金部
１２ａ  紙幣投入口
１２ｂ  紙幣リジェクト部
１３  紙幣鑑別部
１４  紙幣一時保留部
１５  紙幣収納庫
１５ａ〜１５ｃ  金種別収納庫
１６  退避庫
１７  紙幣リジェクト庫
１８  施封部
１８ａ  施封紙幣集積部
１８ｂ  紙幣結束部
１８ｃ  紙幣束出金口
１９  紙幣搬送路
２２  硬貨入金部
２２ａ  硬貨投入口
２２ｂ  硬貨繰出部
２３  硬貨鑑別部
２３ａ  硬貨選別部
２４  硬貨一時保留部
２５  硬貨収納庫
２６  硬貨リジェクト口
２７  硬貨出金箱
２８  硬貨返却箱
【図１】
0006515625.tif 000002
【図２】
0006515625.tif 000003